(57)【要約】【課題】  大量の水を必要とすることなく消毒することができ、処理することができる使用済み紙オムツの処理方法の提供。【解決手段】  本発明の使用済み紙オムツの処理方法は、石灰１と、次亜塩素２を入れた処理槽３内に使用済み紙オムツ４を投入し、処理槽３内で撹拌可能な最低限の水５を給水しながら所定の時間にわたり撹拌し、処理槽３内の液体６を処理槽の外へ排出させると共に脱水し、排出された廃水７を回収し水質処理を施して破棄することを特徴としている。【選択図】      図１
2010084031.tif 000002
【特許請求の範囲】
【請求項１】
使用済み紙オムツを消毒し処理する使用済み紙オムツの処理方法であって、
石灰と次亜塩素と使用済み紙オムツを処理槽内に投入し、
前記処理槽内で撹拌可能な最低限の水を供給しながら所定の時間にわたり撹拌し、
前記処理槽内の液体を処理槽の外へ排出させると共に脱水し、
排出された廃水を回収し水質処理を施して破棄することを特徴とする使用済み紙オムツの処理方法。
【請求項２】
請求項１記載の使用済み紙オムツの処理方法であって、
前記処理槽内で撹拌する際に、石灰により分解された使用済み紙オムツから、該使用済み紙オムツに吸収されていた水分を用いていることを特徴とする使用済み紙オムツの処理方法。
【請求項３】
使用済み紙オムツを消毒し処理する使用済み紙オムツの処理方法であって、
石灰と使用済み紙オムツを処理槽内に投入し、
前記処理槽内で撹拌可能な最低限の水を供給し、最低限の水の供給後に次亜塩素を処理槽内に投入して所定時間にわたり撹拌し、
前記処理槽内の液体を処理槽の外へ排出させると共に脱水し、
排出された廃水を回収し水質処理を施して破棄することを特徴とする使用済み紙オムツの処理方法。
【発明の詳細な説明】
【技術分野】
【０００１】
本発明は、使用済み紙オムツの処理方法に関する。
【背景技術】
【０００２】
一般に紙オムツは、パルプ等からなる吸収体と、吸収体が吸収した水分を保持する高分子吸収体（高分子ポリマー）と、これらを包む防水材（プラスチック）などの素材から構成されている。
【０００３】
従来、使い捨てオムツの処理（処分）は、衛生的な理由から焼却処分が最善とされていたが、水分を多く含んでいるため焼却する際に多量の熱量を必要とし、無駄にエネルギーを消費している。また、資源の有効利用の観点から使用済み紙オムツの構成素材は回収して再利用することが望ましい。
【０００４】
構成素材の回収方法としては、例えば紙オムツを構成するパルプ等を薬品を用いて分離して、回収して再利用する分離回収処理がある。この分離回収処理では、前処理として紙オムツを回転する刃などで破砕し、その後の分離や回収を行っていた。
【０００５】
一方、使用済み紙オムツには、使用状態から大便や小便が付着しており細菌も含まれる場合もあることから、使用済み紙オムツを処理する場合には、消毒剤を含有する水流で洗い、汚れの一部を消毒する紙オムツの処理方法が特許文献１で提案されている。
【０００６】
この処理方法によれば、消毒剤として例えば、オゾン、塩素、次亜塩素酸ナトリウム等が用いられ、洗った水は水質処理して廃棄されている。
【特許文献１】特開２００２−２９２３０４
【発明の開示】
【発明が解決しようとする課題】
【０００７】
しかしながら、上記特許文献１に開示された紙オムツの処理方法では、消毒剤を含有する水流で使用済み紙オムツを洗うため、大量の水を必要とし、しかも、洗うために使用した水を廃棄する場合にも大量の廃水を水質処理しなければならないので大がかりな設備を必要とする。
【０００８】
そこで、本発明は、大量の水を必要とすることなく消毒することができ、処理することができる使用済み紙オムツの処理方法の提供を目的とする。
【課題を解決するための手段】
【０００９】
請求項１の発明の使用済み紙オムツの処理方法では、使用済み紙オムツを消毒し処理する使用済み紙オムツの処理方法であって、石灰と次亜塩素と使用済み紙オムツを処理槽内に投入し、前記処理槽内で撹拌可能な最低限の水を給水しながら所定の時間にわたり撹拌し、前記処理槽内の液体を処理槽の外へ排出させると共に脱水し、排出された廃水を回収し水質処理を施して破棄することを特徴とする。
【００１０】
請求項２記載の使用済み紙オムツの処理方法では、請求項１記載の紙オムツの処理方法であって、前記処理槽内で撹拌する際に、石灰により分解された使用済み紙オムツから、該使用済み紙オムツに吸収されていた水分を用いていることを特徴とする。
【００１１】
請求項３記載の使用済み紙オムツの処理方法では、使用済み紙オムツを消毒し処理する使用済み紙オムツの処理方法であって、石灰と使用済み紙オムツを処理槽内に投入し、前記処理槽内で撹拌可能な最低限の水を供給し、最低限の水の供給後に次亜塩素を処理槽内に投入して所定時間にわたり撹拌し、前記処理槽内の液体を処理槽の外へ排出させると共に脱水し、排出された廃水を回収し水質処理を施して破棄することを特徴とする。
【００１２】
請求項１の発明の使用済み紙オムツの処理方法によれば、処理槽内に使用済み紙オムツを投入し、これと共に石灰、次亜塩素を投入する。そして、これらの使用済み紙オムツ及び石灰、次亜塩素を撹拌し得る程度の、最低限の水を処理槽内に給水する。この状態で撹拌を開始すると、石灰によって使用済み紙オムツの特に高分子ポリマーが分解されて、吸収している水分が処理槽内に混ざり、処理槽内に最低限の量だけ供給した水と共に、使用済み紙オムツを撹拌する。このとき、次亜塩素によって分解された使用済み紙オムツから放出される細菌等が消毒される。このような状態で所定時間撹拌した後に、処理槽内の液体を処理槽の外へ排出させると共に、分解した使用済み紙オムツの固形物を脱水し、排出された廃水及び脱水したときの廃水を回収し、水質処理を施して破棄する。
【００１３】
なお、処理槽内へ石灰、次亜塩素を投入する場合、石灰は使用済み紙オムツを処理槽内へ投入する前に処理槽内に入れても良く、使用済み紙オムツを処理槽内に投入した後に処理層内に入れても良い。さらに、次亜塩素は、石灰、使用済み紙オムツを処理層内に投入する際に同時に入れても良く、処理槽内の石灰、使用済み紙オムツを撹拌し得る程度の水を供給した後に処理槽内に加えても良い。
【発明の効果】
【００１４】
このように、本発明の使用済み紙オムツの処理方法によれば、石灰、次亜塩素と共に、処理槽内に投入した使用済み紙オムツが吸収している水分を用いて、撹拌するので、必要最低限の水を処理槽内に供給するだけでよく、無駄に水を使用することがなく、また処理後には、廃水も少なく、廃水も少ないので水質処理を行う施設も大がかりなものになることがない。
【発明を実施するための最良の形態】
【００１５】
以下、本発明の実施形態を図面に基づいて説明する。
【００１６】
本実施形態の使用済み紙オムツの処理方法は、図１（ａ）に示すように、石灰１と、次亜塩素２を入れた処理槽３内に使用済み紙オムツ４を投入し、図１（ｂ）、（ｃ）に示すように、処理槽３内で撹拌可能な最低限の水５を給水しながら所定の時間にわたり撹拌し、図１（ｄ）に示すように処理槽３内の液体６を処理槽３の外へ排出させると共に脱水し、排出された廃水７を回収し水質処理を施して破棄する。
【００１７】
撹拌可能な最低限の水５は、処理槽３内で使用済み紙オムツ４を撹拌、すなわち液体中で使用済み紙オムツ４が動き回ることが可能な量であり、撹拌させるための最低限の量に設定する。この場合、給水しながら撹拌している間に、使用済み紙オムツ４の高分子ポリマーが石灰１によって分解し、内部の水分が処理槽内に出てくるので、処理槽３内の水分量が次第に増えるので、処理槽３内で撹拌可能な、すなわち使用済み紙オムツ４を分解し、殺菌可能な程度の水分量になったときに給水を停止する。なお、使用済み紙オムツ４からの水分中には、細菌等が含有されているが、次亜塩素によって消毒されるので、撹拌によって細菌が処理槽３に撒き散らされても、処理後に廃水を水質処理することで充分に殺菌することができる。
【００１８】
従って、従来のように、消毒剤を含有した水流で使用済み紙オムツ４を処理する方法に比較して、無駄に水を使用することがなく、必要最低限の水によって使用済み紙オムツを殺菌、処理することができる。
【００１９】
なお、処理槽３内に石灰１、次亜塩素２、使用済み紙オムツ４を投入する順序は、処理槽３内に使用済み紙オムツ４を投入する前に石灰を処理槽３内に投入しても良く、処理槽３内に使用済み紙オムツ４を投入した後に石灰を処理槽３内に投入しても良い。さらに、次亜塩素２を処理層内に投入する順番についても、使用済み紙オムツ４を処理槽３内に投入する前後でも良く、処理槽内への給水後に処理槽内に加えても良い。
【００２０】
また、従来の処理方法では、使用済み紙オムツ２０ｔを処理する場合、１０００立方メートルの水（水道水、工業用水等）を必要としていたが、本発明の処理方法では、２０ｔの使用済み紙オムツを処理する場合、５３〜１０６立方メートルの水（給水による）で処理することができる。
【００２１】
なお、使用済みオムツ４に含まれる平均の水分量について、未使用の紙オムツの重さは約６０グラムであり、一回の紙オムツの交換で尿を吸収した使用済み紙オムツの重さは２１０グラム〜３１０グラムになり、紙オムツの重さを除くと１５０グラム〜２５０グラムの水分が含有されている。本実施形態では、この高分子ポリマーに吸収されている水分を利用することで、使用済み紙オムツ４の分解と消毒を行っている。
【００２２】
なお、上記の説明では、給水しながら撹拌する工程を１回とした場合について説明したが、この工程は複数回行ってもよく、すすぎ工程を含め２回程度行っても良い。
【００２３】
次ぎに、本実施形態における薬剤の投入量、消毒時間、水の使用量について説明する。
【００２４】
１．薬剤の投入量について
（ａ）石灰（分解剤）
使用済み紙オムツ４の処理槽３内への投入量の３〜１０％
実験段階では、例えば投入量１２０kgに対して６kg
（ｂ）次亜塩素（消毒剤）
次亜塩素濃度は、取り扱う紙オムツの種類により変わる。
【００２５】
感染性廃棄物（特別管理廃棄物）の場合：１０００ppm若しくは１５００ppm
一般廃棄物及び産業廃棄物の場合  ：２５０ppm
消毒効果については、一般廃棄物及び産業廃棄物の場合は、温水による消        毒も可能（８０℃で  １０分）
２．消毒時間について
（ａ）消毒時間
洗濯時間（撹拌時間）は、取り扱う紙オムツの種類により変わる。
【００２６】
感染性廃棄物の場合：６０分
一般廃棄物及び産業廃棄物の場合  ：１０分
３．水の使用量について
（ａ）水使用量
消毒工程１回に付き３２０リットル（処理槽３内への使用済み紙オムツ４の投入１２０kgに対して）
以上説明した本実施形態における使用済み紙オムツの処理方法によれば、使用する水の量が少ないので、例えば、給水費用、消毒費用、排水費用（下水道費用）の負担が軽減され、給水温度を上げるときに無駄なエネルギーを使う必要がなくなり、ひいてはコストの大幅な削減が可能となる。
【００２７】
なお、上記消毒費用は、使用する水の量が少ないので、給水費用、排水費用と共に、消毒剤を使う量も少量になることにより消毒剤にかかる費用も低減することが可能となる。
【００２８】
また、本実施形態の処理方法を、病院、施設等に導入した場合、風呂の残り湯や、一次排水（飲み水、洗面には使用できないが、トイレ等には使用可能な水）を使用することも可能になり、この場合には大幅なコストの低減を行うことが可能となる。
【００２９】
また、通常、リサイクルを行う場合、リサイクルを行う物自体に着眼点が行われる場合が多い。例えば、紙オムツのリサイクル事業は、紙オムツのリサイクルのために、水を１０００トン使用し、更にそこからの排水１０００トンのうち８００トンの水をリサイクルするシステムになっている。このことは、そもそも、リサイクル自体にリサイクル後に環境負荷をかけている状況となっている。上記した本発明では、使用する水の量が少ないということは、資源循環型社会の構築の上で、一番のポイントとなる環境負荷の発生を抑制することであり、それに伴い、リサイクル後の環境負荷の低減を図ることができる。
【００３０】
また、排水費用については、使用する水の量が少ない場合、下水道費用（公共下水道費用）が削減されると共に、水質処理施設（水処理施設）の規模も小さくて済み、さらに、水質処理施設の規模が小さくなるために、施設に係る土地の面積も少なくなり、費用の削減になる。
【００３１】
なお、上記実施形態において石灰は、生石灰、消石灰のいずれも含む物であって、使用済み紙オムツにおける高分子ポリマーを分解し得る石灰であれば良い。
【００３２】
また、消毒剤としての次亜塩素は、処理する使用済み紙オムツの種類によって選択される。
【００３３】
また、本発明における「消毒し処理する方法」は、水の使用量は必要最低限であり、本方法を行うことにより消毒を行うための設備、施設自体を通常のものよりも小さくすることが出来、設備、施設の規模を小さくできるので設備費用の低減を図ることができる。
【図面の簡単な説明】
【００３４】
【図１】本発明に係る使用済み紙オムツの処理方法の手順を示す説明図である。
【符号の説明】
【００３５】
１  石灰
２  次亜塩素
３  処理槽
４  使用済み紙オムツ
５  水
６  液体
７  廃水
【図１】
2010084031.tif 000003